(57)【要約】【課題】収納ケースの取付部の数に制限されることなく複数の仕掛け巻きケースを収納ケース内に効率的に且つ確実に取り付け固定して収納できる取り扱い性の優れた仕掛け収納具を提供する。【解決手段】本発明の仕掛け収納具１は、仕掛けを巻き取って収納するための仕掛け巻きケース１５と、仕掛け巻きケース１５を収納するための収納ケース６とを備える。収納ケース６内には、仕掛け巻きケース１５を係脱自在に係合固定するための抜け落ち防止用の引掛り部１０ａから成る複数の取付部１０が設けられる。仕掛け巻きケース１５の一方側の面には、収納ケース６の取付部１０と係脱自在に係合可能な第１の係合部が設けられ、仕掛け巻きケース１５の他方側の面１５ｂには、前記第１の係合部と係脱自在に係合可能な第２の係合部２０が設けられる。【選択図】図１
2011155872.tif 000002
【特許請求の範囲】
【請求項１】
仕掛けを巻き取って収納するための仕掛け巻きケースと、
仕掛け巻きケースを収納するための収納ケースと、
を備え、
前記収納ケース内には、前記仕掛け巻きケースを係脱自在に係合固定するための抜け落ち防止用の引掛り部から成る複数の取付部が設けられ、
前記仕掛け巻きケースの一方側の面には、前記収納ケースの前記取付部と係脱自在に係合可能な第１の係合部が設けられ、
前記仕掛け巻きケースの他方側の面には、前記第１の係合部と係脱自在に係合可能な第２の係合部が設けられる、
ことを特徴とする仕掛け収納具。
【請求項２】
前記取付部は、前記収納ケースに回動可能に取り付けられる固定用プレートに設けられることを特徴とする請求項１に記載の仕掛け収納具。
【請求項３】
前記取付部が前記固定用プレートの両面に設けられることを特徴とする請求項２に記載の仕掛け収納具。
【請求項４】
前記固定用プレートが前記収納ケースに対して着脱自在に取り付けられることを特徴とする請求項２または請求項３に記載の仕掛け収納具。
【発明の詳細な説明】
【技術分野】
【０００１】
本発明は、釣り用の仕掛けを収納するための仕掛け収納具に関する。
【背景技術】
【０００２】
釣り用の仕掛けの収納形態は従来から様々なものが知られている。特に、仕掛けを巻き取って収納するリール状の仕掛け巻きケースは、携帯性および収納性に優れており、ズボンのポケットに入れて持ち歩いたり、更に別の収納ケースに収納して保管あるいは携帯することもできる。また、これに関連して、仕掛け同士を絡ませることなく複数の仕掛け巻きケースを収納ケースに収納して持ち運べるようにしたものが特許文献１で提案されている。
【先行技術文献】
【特許文献】
【０００３】
【特許文献１】実開昭５５−５８９８６号
【発明の概要】
【発明が解決しようとする課題】
【０００４】
ところで、特許文献１では、収納ケース内に設けられた取付部としての突起に仕掛け巻きケースが取り付けられるが、その取り付け形態は、突起と仕掛け巻きケースの取り付け穴との内外径の寸法設定による嵌め合わせであるため、突起と仕掛け巻きケースとの着脱を繰り返すうちに嵌め合いが経時的に緩み、その結果、収納ケースの蓋を開けたときに仕掛け巻きケースが不意に脱落する虞がある。
【０００５】
また、特許文献１では、収納ケースに収納できる仕掛け巻きケースの数が、収納ケースに設けられる突起（取付部）の数に限られる。そのため、収納量の多い収納ケースが望まれる。また、その一方で、収納ケース内に収納できる仕掛け巻きケースの数を増やしてしまうと、収納ケースに対する仕掛け巻きケースの取り付け及び取り出しが面倒になるといった問題も生じ得る。
【０００６】
本発明は、前記事情に着目してなされたものであり、その目的とするところは、収納ケースの取付部の数に制限されることなく複数の仕掛け巻きケースを収納ケース内に効率的に且つ確実に取り付け固定して収納できる取り扱い性の優れた仕掛け収納具を提供することにある。
【課題を解決するための手段】
【０００７】
前記課題を解決するために、請求項１に記載の仕掛け収納具は、仕掛けを巻き取って収納するための仕掛け巻きケースと、仕掛け巻きケースを収納するための収納ケースとを備え、前記収納ケース内には、前記仕掛け巻きケースを係脱自在に係合固定するための抜け落ち防止用の引掛り部から成る複数の取付部が設けられ、前記仕掛け巻きケースの一方側の面には、前記収納ケースの前記取付部と係脱自在に係合可能な第１の係合部が設けられ、前記仕掛け巻きケースの他方側の面には、前記第１の係合部と係脱自在に係合可能な第２の係合部が設けられることを特徴とする。
【０００８】
この請求項１に記載の仕掛け収納具によれば、収納ケースと仕掛け巻きケースとが抜け落ち防止用の引掛り部から成る複数の取付部によって係脱自在に係合固定されるため、複数の仕掛け巻きケースを収納ケース内に確実にガタ無く取り付け固定して収納でき、収納ケースからの仕掛け巻きケースの不意の脱落を防止できる。また、上記構成では、第１の係合部と第２の係合部とにより仕掛け巻きケース同士を係脱自在に係合させることができるため、収納ケースの取付部の数に制限されることなく複数の仕掛け巻きケースを収納ケース内に効率的に収納でき（収納ケース内で仕掛け巻きケース同士がぶつかったりすることなく効率的に配置固定でき）、収納量の多い収納ケースを実現できる。しかも、仕掛け巻きケースの第１の係合部は、収納ケースの取付部および他の仕掛け巻きケースの第２の係合部のいずれにも係合できるため、収納ケースに対する仕掛け巻きケースの取り付け性及び取り外し性が良好であり、取り扱い性に優れる。
【０００９】
また、請求項２に記載の仕掛け収納具は、請求項１に記載の仕掛け収納具において、前記取付部が、前記収納ケースに回動可能に取り付けられる固定用プレートに設けられることを特徴とする。
【００１０】
この請求項２に記載の仕掛け収納具によれば、請求項１に記載の仕掛け収納具と同様の作用効果が得られるとともに、前記収納ケースに回動可能に取り付けられる固定用プレートに取付部を介して仕掛け巻きケースが取り付けられるため、固定用プレートを収納ケースに対して回動させることにより、固定用プレートと共に仕掛け巻きケースを収納ケースの外側に引き出すことができ、仕掛け巻きケースの取り出し性が向上する。
【００１１】
また、請求項３に記載の仕掛け収納具は、請求項２に記載の仕掛け収納具において、前記取付部が前記固定用プレートの両面に設けられることを特徴とする。
【００１２】
この請求項３に記載の仕掛け収納具によれば、請求項２に記載の仕掛け収納具と同様の作用効果が得られるとともに、固定用プレートの両面に仕掛け巻きケースを取り付けることができるため、仕掛け巻きケースの取り付け性および取り外し性が向上する。
【００１３】
また、請求項４に記載の仕掛け収納具は、請求項２または請求項３に記載の仕掛け収納具において、前記固定用プレートが前記収納ケースに対して着脱自在に取り付けられることを特徴とする。
【００１４】
この請求項４に記載の仕掛け収納具によれば、請求項２または請求項３に記載の仕掛け収納具と同様の作用効果が得られるとともに、仕掛け巻きケースを固定用プレートと一体で収納ケースに取り付け或いは収納ケースから取り外すことができ、したがって、仕掛け巻きケースが予めセットされた固定プレート毎の交換が可能である。
【発明の効果】
【００１５】
本発明によれば、収納ケースの取付部の数に制限されることなく複数の仕掛け巻きケースを収納ケース内に効率的に且つ確実に取り付け固定して収納できる取り扱い性の優れた仕掛け収納具を提供できる。
【図面の簡単な説明】
【００１６】
【図１】収納ケース内に仕掛け巻きケースが２段に重ねて取り付けられた状態の本発明の第１の実施形態に係る仕掛け収納具の斜視図である。
【図２】収納ケースから仕掛け巻きケースが取り外された状態の本発明の第１の実施形態に係る仕掛け収納具の平面図である。
【図３】（ａ）は第１の係合部が設けられる仕掛け巻きケースの一方側の面の平面図、（ｂ）は第２の係合部が設けられる仕掛け巻きケースの他方側の面の平面図である。
【図４】収納ケース内に仕掛け巻きケースが１段で並列に取り付けられた状態の本発明の第１の実施形態に係る仕掛け収納具の斜視図である。
【図５】本発明の第１の実施形態に係る仕掛け収納具の使用態様の一例を示す模式図である。
【図６】（ａ）は収納ケースから固定用プレート（仕掛け巻きケース）が取り外された状態の本発明の第２の実施形態に係る仕掛け収納具の斜視図、（ｂ）は収納ケースに固定用プレート（仕掛け巻きケース）が取り付けられた状態の本発明の第２の実施形態に係る仕掛け収納具の斜視図である。
【図７】固定用プレートを収納ケースに着脱自在に取り付けるためのクリップ体の斜視図である。
【発明を実施するための形態】
【００１７】
以下、添付図面を参照して本発明に係る仕掛け収納具の実施形態について説明する。
【００１８】
図１〜図５は本発明の第１の実施形態を示している。図１，２，４に示されるように、本実施形態の仕掛け収納具１は、仕掛けを巻き取って収納するための環状溝を有する円形リール状の仕掛け巻きケース１５と、仕掛け巻きケース１５を収納するための収納ケース６とを備える。収納ケース６は、仕掛け巻きケース１５を収納するための収納空間Ｓを形成するケース本体２と、このケース本体２にヒンジ９を介して回動自在（開閉可能）に取り付けられた蓋体４とから成る。なお、ケース本体２の側壁には、蓋体４が開かないようにするロック７が設けられている。
【００１９】
ケース本体２内（収納空間Ｓ内）には、複数の仕掛け巻きケース１５を個別に係脱自在に係合固定するための複数（本実施形態では２つ；図２参照）の取付部１０が設けられている。各取付部１０は、係合突起の形態を成しており、後述する仕掛け巻きケース１５の係合受部としての第１の係合部３０の複数の係合溝３０ａに例えば弾力を利用して引掛り係合する円環状に配列された抜け落ち防止用の複数（本実施形態では３つ）の引掛り片（引掛り部）１０ａから成る。
【００２０】
一方、仕掛け巻きケース１５は、図３の（ａ）に明確に示されるように、一方側の面１５ａに、収納ケース６の取付部１０と係脱自在に係合可能な第１の係合部３０を有する。この第１の係合部３０は、取付部１０の複数の引掛り片１０ａが個別に引掛り係合するように円環状に配列された複数（本実施形態では３つ）の係合溝３０ａから成る。また、仕掛け巻きケース１５は、図３の（ｂ）に明確に示されるように、他方側の面１５ｂに、第１の係合部３０と係脱自在に係合可能な第２の係合部２０を有する。この第２の係合部２０は、好ましくは収納ケース６の取付部１０と同一形態であり、第１の係合部３０の複数の係合溝３０ａに例えば弾力を利用して引掛り係合する円環状に配列された抜け落ち防止用の複数（本実施形態では３つ）の引掛り片２０ａから成る。
【００２１】
このような構成の仕掛け収納具１は、第１の係合部３０を利用して仕掛け巻きケース１５を収納ケース６の取付部１０に係脱自在に取り付けることができるとともに、第１および第２の係合部３０，２０を利用して仕掛け巻きケース１５同士も係脱自在に取り付けることができる。すなわち、図１に示されるように収納ケース６内に仕掛け巻きケース１５を２段に重ねて取り付けることができ、また、図４に示されるように収納ケース６内に仕掛け巻きケース１５を１段で並列に取り付けることもできる。
【００２２】
図５には、本実施形態の仕掛け収納具１の優れた取り扱い性を実証する使用例が示されている。ここでは、図５の（ａ）に示されるように、２つのそれぞれの取付部１０に仕掛け巻きケース１５が２段に重ねて取り付けられた収納状態で、一方の取付部１０の下側に取り付けられた仕掛け巻きケース１５を収納ケース６から取り出すことを想定する。図５の（ａ）の収納状態では、一方の取付部１０の上段に第１の仕掛け巻きケース１５Ａが、下段に第２の仕掛け巻きケース１５Ｂがそれぞれセットされ、また、他方の取付部１０の上段に第３の仕掛け巻きケース１５Ｃが、下段に第４の仕掛け巻きケース１５Ｄがそれぞれセットされている。そして、この状態から、図５の（ｂ）に斜線で示される他方の取付部１０の下段にセットされた第４の仕掛け巻きケース１５Ｄを取り出す場合には、まず、図５の（ｃ）に示されるように、第３の仕掛け巻きケース１５Ｃを第４の仕掛け巻きケース１５Ｄから取り外して（この場合、所定の力で第３の仕掛け巻きケース１５Ｃを押し上げると、引掛り片２０ａと係合溝３０ａとの弾力的な係合が解除される）、その取り外した第３の仕掛け巻きケース１５Ｃを第１の仕掛け巻きケース１５Ａの上に取り付け（第３の仕掛け巻きケース１５Ｃの第１の係合部３０を第１の仕掛け巻きケース１５Ａの第２の係合部２０に係合する・・・この状態では、一方の取付部１０に仕掛け巻きケース１５が３段に重ねて取り付けられる）、その後、他方の取付部１０から第４の仕掛け巻きケース１５Ｄを取り外す（この場合、所定の力で第４の仕掛け巻きケース１５Ｄを押し上げると、引掛り片１０ａと係合溝３０ａとの弾力的な係合が解除される）。そして、収納ケース６が仕掛け巻きケース１５の３段積み重ね収納を許容する（そのような大きさに収納ケース６が設計されている）場合には、そのままの収納状態で放置してもよいが、収納ケース６が仕掛け巻きケース１５の３段積み重ね収納を許容しない場合には、その後、図５の（ｄ）に示されるように、第１の仕掛け巻きケース１５Ａ上の第３の仕掛け巻きケース１５Ｃを再び他方の取付部１０側に戻してこれに取り付ける。このような取り付け・取り外し形態は、特に、例えば釣竿を持った状態で仕掛け巻きケースを取り出すような場合に、仕掛け巻きケースを脱落させることなく行なえるので有益である。
【００２３】
以上のように、本実施形態の仕掛け収納具１によれば、収納ケース６と仕掛け巻きケース１５とが抜け落ち防止用の引掛り部１０ａから成る複数の取付部１０によって係脱自在に係合固定されるため、複数の仕掛け巻きケース１５を収納ケース６内に確実にガタ無く取り付け固定して収納でき、収納ケース６からの仕掛け巻きケース１５の不意の脱落を防止できる。また、上記構成では、第１の係合部３０と第２の係合部２０とにより仕掛け巻きケース１５，１５同士を係脱自在に係合させることができるため、収納ケース６の取付部１０の数に制限されることなく複数の仕掛け巻きケース１５を収納ケース６内に効率的に収納でき（収納ケース６内で仕掛け巻きケース１５，１５同士がぶつかったりすることなく効率的に配置固定でき）、収納量の多い収納ケース６を実現できる。しかも、仕掛け巻きケース１５の第１の係合部３０は、収納ケース６の取付部１０および他の仕掛け巻きケース１５の第２の係合部２０のいずれにも係合できるため、収納ケース６に対する仕掛け巻きケース１５の取り付け性及び取り外し性が良好であり、取り扱い性に優れる。
【００２４】
図６および図７は本発明の第２の実施形態を示している。図示のように、本実施形態では、取付部１０が収納ケース６のケース本体２に直接に設けられておらず、その代わり、収納ケース６に回動可能に取り付けられる固定用プレート５０に取付部１０が設けられている。この場合、固定用プレート５０は、クリップ体４０を介して収納ケース６に対して着脱自在に取り付けられる。なお、クリップ体４０は、例えば金属製（例えばバネ鋼）であり、図７にも示されるように、収納ケース６のヒンジ９に回動可能に取り付けられるヒンジ部４０ａと、固定用プレート５０を弾力的に挟持できる一対の挟持片から成る着脱固定部４０ｂとから成る。
【００２５】
このような構成の仕掛け収納具１によれば、収納ケース６に回動可能に取り付けられる固定用プレート５０に取付部１０を介して仕掛け巻きケース１５が取り付けられるため、固定用プレート５０を収納ケース６に対して回動させ、固定用プレート５０と共に仕掛け巻きケース１５を収納ケース６の外側に引き出すことができ、仕掛け巻きケース１５の取り出し性が向上する。また、仕掛け巻きケース１５を固定用プレート５０と一体で収納ケース６に取り付け或いは収納ケース６から取り外すことができ、したがって、仕掛け巻きケース１５が予めセットされた固定プレート５０毎の交換が可能である。
【００２６】
また、本実施形態では、取付部５０が固定用プレート５０の両面に設けられることが好ましい。そのような場合、仕掛け巻きケース１５の取り付け性および取り外し性が向上し有益である。
【００２７】
なお、本発明は、前述した実施形態に限定されず、その要旨を逸脱しない範囲で種々変形して実施できることは言うまでもない。例えば、前述した実施形態では、取付部の数が２個であったが、収納ケース６または固定用プレート５０に設けられる取付部１０の個数は任意に設定できる。また、前述した実施形態では、取付部１０および第２の係合部２０が係合突起として形成され、第１の係合部３０が係合受部（溝）として形成されているが、取付部１０および第２の係合部２０が係合受部（溝）として形成され、第１の係合部３０が係合突起として形成されていても良い。要は、第１の係合部が取付部１０および第２の係合部２０に係脱自在に係合できれば、その構造形態はどのようなものであっても構わない。また、前述した実施形態では、第２の係合部２０の構造形態が取付部１０の構造形態と同一であったが、第１の係合部３０と係合できさえすれば、第２の係合部２０の構造形態と取付部１０の構造形態とが互いに異なっていても良い。更に、前述した実施形態では、固定用プレート５０が収納ケース６に対して着脱可能に取り付けられているが、固定用プレート５０が収納ケース６に対して着脱不能であっても良い。ただし、その場合でも、固定用プレート５０は収納ケース６に対して回動できることが好ましい。
【符号の説明】
【００２８】
１  仕掛け収納具
２  ケース本体
４  蓋体
６  収納ケース
１０  取付部
１０ａ  引掛り片（引掛り部）
１５  仕掛け巻きケース
２０  第２の係合部
３０  第１の係合部
５０  固定用プレート
【図１】
2011155872.tif 000003
【図２】
2011155872.tif 000004
【図３】
2011155872.tif 000005
【図４】
2011155872.tif 000006
【図５】
2011155872.tif 000007
【図６】
2011155872.tif 000008
【図７】
2011155872.tif 000009